(57)【特許請求の範囲】
【請求項１】
洗車機本体内に、上下に移動自在で、被洗浄車両の上面へ空気を噴出するトップノズルを備えた洗車設備であって、
前記洗車機本体の前端に、前記被洗浄車両が洗車機本体内の規定位置まで侵入したことを検出する検出手段を設け、
前記トップノズル上に報知ランプを設け、
前回の前記被洗浄車両の洗車終了後に、被洗浄車両のドライバが前記報知ランプを視認できる位置へ前記トップノズルを下降させ、
今回の前記被洗浄車両の洗車が行われる際、前記被洗浄車両が前記洗車機本体内の前記規定位置へ侵入したことを前記検出手段が検出すると、下降している前記トップノズルの前記報知ランプを点灯あるいは点滅させること
を特徴とする洗車設備。
【請求項２】
前記検出手段による前記被洗浄車両の検出時間が所定時間を経過すると、前記被洗浄車両が前記洗車機本体内の前記規定位置に正確に停止していると判断して、前記トップノズルを上昇させること
を特徴とする請求項１記載の洗車設備。
【請求項３】
前記トップノズルに被洗浄車両の近接を検出する近接検出手段を設け、
この近接検出手段による前記被洗浄車両の検出により、前記トップノズルを上昇させることを特徴とする請求項１または請求項２に記載の洗車設備。
【請求項４】
前記トップノズルの前面に、前記報知ランプの点灯により前記被洗浄車両を停止させることを案内する文章を記載すること
を特徴とする請求項１〜請求項３のいずれか１項に記載の洗車設備。
【発明の詳細な説明】
【０００１】
【発明の属する技術分野】
本発明は、被洗浄車両が所定位置に停止した際、洗車機本体が自動的に走行して洗浄を行う洗車設備に関するものである。
【０００２】
【従来の技術】
従来、この種の洗車設備として、例えば特開平６−３２１０６７号公報に示されたものがある。すなわち、洗車機本体の走行方向側に、被洗浄車両の車輪の停止位置を指定する車輪停止部を形成し、この車輪停止部内の車輪を検出する検出装置を設け、この検出装置による車輪検出時間を測定するタイマーを設け、車輪検出時間が所定時間よりも長くなった場合上記洗車機本体を走行させて洗車を開始させる制御装置を設け、車輪が検出装置により検出されかつその車輪検出時間が所定時間以下の場合に作動する警告手段を設けたものである。
【０００３】
上記構成によると、被洗浄車両の車輪が車輪停止部内に正確に停止した場合は、検出装置が車輪停止部内の車輪を検出し、タイマーが車輪検出時間を測定する。この際、車輪検出時間が所定時間よりも長くなるため、車輪が車輪停止部内に正確に停止していると判断され、洗車機本体が走行して洗車が開始される。
【０００４】
また、被洗浄車両の車輪が車輪停止部を行き過ぎた場合は、検出装置が車輪停止部内の車輪を検出し、タイマーが車輪検出時間を測定する。しかし、行き過ぎた場合では、車輪検出時間が所定時間以下になるため、車輪が車輪停止部を行き過ぎたと判断され、洗車機本体は走行せず洗車は開始されない。この際、警告手段が作動して警告を発するため、被洗浄車両内のドライバは、車輪が車輪停止部を行き過ぎたことに即座に気付き、迅速に車両を移動させて車輪を車輪停止部内に停止させることができる。
【０００５】
【発明が解決しようとする課題】
しかしながら、上記の従来形式では、車輪停止部自体が被洗浄車両のドライバから見にくく、さらに一方の前輪のみを車輪停止部に停止させる方式なために、前記一方の前輪が車輪停止部内を行き過ぎてしまうことが多く、ドライバを困惑させ、洗車を開始するまでに時間がかかるという問題が生じる。
【０００６】
そこで、本発明は、被洗浄車両のドライバが被洗浄車両を規定位置に容易に、かつ確実に停止できるようにドライバに報知できる洗車設備を提供することを目的としたものである。
【０００７】
【課題を解決するための手段】
前述した目的を達成するために、本発明のうち請求項１記載の発明は、洗車機本体内に、上下に移動自在で、被洗浄車両の上面へ空気を噴出するトップノズルを備えた洗車設備であって、前記洗車機本体の前端に、前記被洗浄車両が洗車機本体内の規定位置まで侵入したことを検出する検出手段を設け、前記トップノズル上に報知ランプを設け、前回の前記被洗浄車両の洗車終了後に、被洗浄車両のドライバが前記報知ランプを視認できる位置へ前記トップノズルを下降させ、今回の前記被洗浄車両の洗車が行われる際、前記被洗浄車両が前記洗車機本体内の前記規定位置へ侵入したことを前記検出手段が検出すると、下降している前記トップノズルの前記報知ランプを点灯あるいは点滅させること
を特徴とするものである。
【０００８】
上記構成により、トップノズルは、前回の被洗浄車両の洗車終了後に、被洗浄車両のドライバが視認できる位置へ下降されており、すなわち今回の被洗浄車両の洗車開始前に、報知ランプは今回の被洗浄車両のドライバが視認できる位置へ下降されており、ドライバが被洗浄車両を運転して洗車機本体内の規定位置に侵入させると、検出手段によりこの被洗浄車両が検出され、報知ランプが点灯あるいは点滅する。ドライバは、この報知ランプの動作により被洗浄車両を停止させる。この停止により被洗浄車両は規定位置に停止される。
また請求項２記載の発明は、上記請求項１記載の発明であって、前記検出手段による前記被洗浄車両の検出時間が所定時間を経過すると、前記被洗浄車両が前記洗車機本体内の前記規定位置に正確に停止していると判断して、前記トップノズルを上昇させることを特徴とするものである。
上記構成により、被洗浄車両が規定位置に所定時間以上停止すると、被洗浄車両は前記洗車機本体内の規定位置に正確に停止していると判断され、トップノズルは上昇され、洗車が開始される。
【０００９】
また請求項３記載の発明は、上記請求項１または請求項２に記載の発明であって、トップノズルに被洗浄車両の近接を検出する近接検出手段を設け、この近接検出手段による前記被洗浄車両の検出により、前記トップノズルを上昇させることを特徴とするものである。
【００１０】
被洗浄車両が洗車機本体内へ急に侵入すると、被洗浄車両がトップノズルへ接触する恐れがある。
上記構成により、トップノズルの近接検出手段によって被洗浄車両が検出されると、トップノズルを上昇させる。よって、トップノズルと被洗浄車両の接触が回避される。
また請求項４記載の発明は、上記請求項１から請求項３のいずれか１項に記載の発明であって、前記トップノズルの前面に、前記報知ランプの点灯により前記被洗浄車両を停止させることを案内する文章を記載することを特徴とするものである。
上記構成により、報知ランプの点灯により被洗浄車両を停止させることを案内する文章が、ドライバの視認できる位置に記載されているため、ドライバは前記案内に従って報知ランプが点灯すると被洗浄車両を停止させる。よって、被洗浄車両は規定位置に確実に停止される。
【００１１】
【発明の実施の形態】
以下、本発明の実施の形態を図面に基づいて説明する。
図１は本発明の実施の形態における洗車設備の斜視図である。
【００１２】
図１において、１は前後方向に走行する門型状の洗車機本体であり、この洗車機本体１には、上下に移動自在で、被洗浄車両２の上面へ空気を噴出するトップノズル３が備えられ、洗車機本体１の前端には、被洗浄車両２が洗車機本体１内の規定位置へ侵入したことを検出する検出手段として透過形光電スイッチ４が設けられ、さらに洗車機本体１に、マイクロコンピュータからなる制御装置５と、第１タイマー６と、第２タイマー７と、スピーカ８とが設けられている。上記第１タイマー６は、後述する操作箱の設定ボタンにより洗車コースが設定されてからの経過時間ｔ１を測定するものであり、第２タイマー７は光電スイッチ４がオンしてからの経過時間ｔ２を測定するものである。また洗車機本体１には、図示しないが、洗浄用のトップブラシ，サイドブラシ，ロッカーブラシ、乾燥用のサイドノズル、および洗浄水アーチ，ワックスアーチなどが設けられている。
【００１３】
また上記トップノズル３には、図２（ａ）に示すように、ノズル本体11上に報知ランプ12が設けられ、またノズル本体11の前面には、「ストップ、ランプの点灯で停止して下さい。」との文章が記載されている。さらにトップノズル３には、図２（ｂ）に示すように、トップノズル３に被洗浄車両２の近接を検出する近接検出手段として、ノズル本体11の両端から前面へ一対の逆Ｌ字状のアーム13が突出され、これらアーム13の先端に透過形光電スイッチ14が設けられている。
【００１４】
また図１において、21は洗車設備の入口から洗車機本体１に続く車両移動経路であり、入口には操作箱22が設けられている。この操作箱22には洗車料金の投入孔や複数の洗車コースから目的の洗車コースを設定する設定ボタンなどが設けられている。
【００１５】
上記制御装置５の動作を図３のフローチャートに基づいて詳細に説明する。なお、前回洗車終了時に、トップノズル３へ所定時間下降信号が出力され、報知ランプ12が被洗浄車両２のドライバが視認できる位置へ下降しているものとする。したがって、図２（ａ）に示す、トップノズル３上の報知ランプ12とトップノズル３前面の文章が被洗浄車両２のドライバに認識される。
【００１６】
まず、被洗浄車両２のドライバが洗車設備の入口で操作箱22に洗車料金を投入し設定ボタンを押して洗車コースが設定されると（ステップ−１）、第１タイマー６を作動させて経過時間ｔ１を測定させる（ステップ−２）。
【００１７】
そして、被洗浄車両２の洗車機本体１内の規定位置への侵入を検出する光電スイッチ４がオンしたかを判断する（ステップ−３）。この光電スイッチ４がオフの場合は、上記時間ｔ１が所定時間Ｔ１よりも長いかを判断し（ステップ−４）、時間ｔ１が所定時間Ｔ１以下の場合はステップ−２に戻る。
【００１８】
そして、上記ステップ−４において時間ｔ１が所定時間Ｔ１よりも長くなった場合は、被洗浄車両２が洗車機本体１内に到達していないと判断し（ステップ−５）、スピーカ８へアナウンス信号を出力させ、スピーカ８より「車が車輪停止位置まで到達しておりません。車を前進させて下さい。」というアナウンスを発せさせる（ステップ−６）。そして、ドライバは、このアナウンスを聞くことにより被洗浄車両２が規定位置（停止位置）に到達していないことに即座に気付き、迅速に被洗浄車両２を前進させる。その後、第１タイマー６をクリアして（ステップ−７）、ステップ−２に戻る。
【００１９】
また、上記ステップ−３において光電スイッチ４がオンしたとき、報知ランプ11へ駆動信号を出力して、報知ランプ11を点灯させる（ステップ−８）。ドライバは、この報知ランプの点灯により被洗浄車両２が規定位置に到達したことに気付き、迅速に被洗浄車両２を停止させる。続いて第２タイマー７を作動させて経過時間ｔ２を測定させる（ステップ−９）。
【００２０】
そして、第２タイマー７の車両検出時間ｔ２が所定時間Ｔ２よりも長いかを判断し（ステップ−10）、車両検出時間ｔ２が所定時間Ｔ２よりも短いときステップ−９へ戻り、上記ステップ−８において車両検出時間ｔ２が所定時間Ｔ２よりも長くなると、被洗浄車両２が規定位置に正確に停止していると判断し（ステップ−11）、トップノズル３へ上昇駆動信号を出力して、トップノズル３を上昇させ（ステップ−12）、洗車機本体１を前進させて洗車を開始させる（ステップ−13）。
【００２１】
そして、洗車が終了すると（ステップ−14）、光電スイッチ４がオフであるかを確認し（ステップ−15）、オフとなると、トップノズル３へ所定時間下降信号を出力して、被洗浄車両２のドライバが報知ランプ12を視認できる位置へトップノズル３を下降させて（ステップ−16）、終了する。
【００２２】
また被洗浄車両２が洗車機本体１内へ急に侵入すると、被洗浄車両２がトップノズル３へ接触する恐れがあるため、トップノズル３の光電スイッチ14によって被洗浄車両２の近接が検出されると、トップノズル３へ上昇駆動信号を出力して、トップノズル３を急上昇させる。
【００２３】
上記構成により、被洗浄車両２の洗車開始前に、報知ランプ12は被洗浄車両２のドライバが視認できる位置へ下降され、光電スイッチ４による被洗浄車両２の洗車機本体１内の規定位置への侵入検出により、報知ランプ12が点灯され、一定時間（時間Ｔ２）後にトップノズル３は上昇されて洗車動作が実行される。また光電スイッチ14による被洗浄車両２のトップノズル３への近接検出により、トップノズル３が上昇される。
【００２４】
このように、被洗浄車両２の洗車機本体１内の規定位置への侵入により報知ランプ12が点灯され、ドライバによりよく見えるこの報知ランプ12の動作により、ドライバが被洗浄車両２を停止させることにより、容易にかつ確実に正確に被洗浄車両を規定位置に停止させることができる。またトップノズル３の光電スイッチ14によって被洗浄車両２が検出されると、トップノズル３を上昇することにより、トップノズル３と被洗浄車両２の接触を回避することができる。
【００２５】
上記実施の形態では、光電スイッチ４による被洗浄車両２の検出により報知ランプを点灯させているが、点滅させるようにしてもよく、また同時にスピーカ８により被洗浄車両２の停止をアナウンスするようにしてもよい。
【００２６】
【発明の効果】
以上のように本発明によれば、ドライバによりよく見えるこの報知ランプの動作により、ドライバが被洗浄車両を停止させることにより、容易にかつ確実に正確に被洗浄車両を規定位置に停止させることができる。
【図面の簡単な説明】
【図１】本発明の実施の形態における洗車設備の斜視図である。
【図２】同洗車設備のトップノズルの要部正面および要部側面図である。
【図３】同洗車設備の制御装置の動作を制御するフローチャートである。
【符号の説明】
１    洗車機本体
２    被洗浄車両
３    トップノズル
４    光電スイッチ（検出手段）
５    制御装置
６    第１タイマー
７    第２タイマー
８    スピーカ
11    ノズル本体
12    報知ランプ
13    アーム
14    光電スイッチ
21    車両移動経路
22    操作箱
【図１】
0003546218.tif 000002
【図２】
0003546218.tif 000003
【図３】
0003546218.tif 000004